(57)【要約】【課題】梱包ケースの角部における差込み片が挿入されたスリット端部における梱包材の破損を抑制することが可能な梱包材を提供する。【解決手段】梱包面構成部１１および第１側板１３および第２側板１２が梱包ケース１の角部を形成する。第１側板１３の重合部分１３ｂには、梱包面構成部１１の第１の縁１９が延びる方向に突出する差込み片１５が形成され、第２側板１２における重合部分１３ｂに重なり合う部分には、差込み片１５が挿入される挿入部１６が形成されている。挿入部１６は、第１スリット２１と、第２スリット２２と、第１スリット２１と第２スリット２２とを接続する第３スリット２３とを有している。第１スリット２１は、角部の頂点Ｃを通る直線に沿って延びるように形成された角部方向部分２１ａを有する。差込み片１５における第１の縁１９に遠い側の側辺２６は、角部方向対応部分２６ａを有する。【選択図】図４
2015074454.tif 000002
【特許請求の範囲】
【請求項１】
梱包ケース（１）の１つの梱包面を構成し、互いに交わる方向に延びる第１の縁および第２の縁を有する梱包面構成部（１１）と、前記第１の縁（１９）に揺動自在に連結された第１側板（１３）と、前記第２の縁（１８）に揺動自在に連結されたおよび第２側板（１２）とを有し、前記第１側板（１３）と前記第２側板（１２）とが連結することによって、前記梱包面構成部（１１）および前記第１側板（１３）および前記第２側板（１２）が前記梱包ケース（１）の角部を形成する梱包材であって、
前記第１側板（１３）は、折り曲げられることによって、前記第２側板（１２）に重なり合う重合部分（１３ｂ）を有しており、
前記第１側板（１３）の前記重合部分（１３ｂ）には、差込み片（１５）が形成され、
前記第２側板（１２）における前記重合部分（１３ｂ）に重なり合う部分には、前記差込み片（１５）が挿入される挿入部（１６）が形成され、
前記挿入部（１６）は、第１スリット（２１）と、前記第１スリット（２１）よりも前記第２の縁（１８）に近い位置に配置された第２スリット（２２）と、前記第１スリット（２１）と前記第２スリット（２２）とを接続する第３スリット（２３）とを有しており、
前記第１スリット（２１）は、前記角部の頂点（Ｃ）を通る直線に沿って延びるように形成された角部方向部分（２１ａ）を有し、
前記差込み片（１５）における前記第１の縁（１９）に遠い側の側辺（２６）は、第１スリット（２１）の角部方向部分（２１ａ）に対応する形状を有する角部方向対応部分（２６ａ）を有する
ことを特徴とする梱包材。
【請求項２】
前記第１スリット（２１）は、前記角部方向部分（２１ａ）における前記角部の頂点（Ｃ）に近い側の端部から前記第２の縁（１８）の延びる方向に延びる第１縁方向部分（２１ｂ）をさらに有する、
請求項１に記載の梱包材。
【請求項３】
前記第１スリット（２１）は、前記角部方向部分（２１ａ）における前記角部の頂点（Ｃ）に近い側の端部につながる円弧状の部分（２１ｄ）をさらに有する、
請求項１または２に記載の梱包材。
【請求項４】
前記第２スリット（２２）は、Ｖ字に折れ曲がった形状を有しており、
前記第２スリット（２２）のＶ字の先端（２２ｃ）は、前記第１スリット（２１）の前記角部方向部分（２１ａ）を向いており、
前記第３スリット（２３）は、前記第２スリット（２２）のＶ字の先端（２２ｃ）に接続されている、
請求項１〜３のいずれか１項に記載の梱包材。
【請求項５】
前記第１スリット（２１）は、前記角部方向部分（２１ａ）における角部の頂点（Ｃ）に遠い側の端部から前記第２の縁（１８）の延びる方向に延びる第２縁方向部分（２１ｃ）をさらに有する、
請求項１〜４のいずれか１項に記載の梱包材。
【請求項６】
前記第２スリット（２２）は、前記差込み片（１５）における前記第１の縁（１９）に近い側の側辺（２７）に対応する形状を有する、
請求項１〜５のいずれか１項に記載の梱包材。
【発明の詳細な説明】
【技術分野】
【０００１】
本発明は、梱包材に関する。
【背景技術】
【０００２】
従来、電気機器等を梱包するための梱包材として、特許文献１に記載されているように、複数のダンボール板を折り曲げて電気機器等の側面を覆う梱包材が用いられている。
このような梱包材では、隣接するダンボール板の一方の端部に差込み片が形成され、それに対向する他方の端部にスリットが形成され、差込み片をスリットに挿入することによって、隣接するダンボール板同士を連結することが可能である。
【０００３】
また、非特許文献１には、ダンボール板を筒状または箱状に折り曲げて、その端部に設けられた差込み片をスリットに挿入することによって、筒状または箱状の形態を維持する梱包材を知られている。
【先行技術文献】
【特許文献】
【０００４】
【特許文献１】特開２０１１−１３１９１０号公報
【非特許文献】
【０００５】
【非特許文献１】http://www.danbo-ru.com/jirei/2012/05/post-128.html#more
【発明の概要】
【発明が解決しようとする課題】
【０００６】
また、上記のような連結構造を用いて、梱包ケースの角部周辺における隣接する側板同士を差込み片とスリットによって連結することが考えられる。
【０００７】
例えば、図１２（ａ）（ｂ）に示されるように、梱包ケースの天板１０１の互いに直交する隣接する２つの縁１０２、１０３を折り曲げて第１側板１０４および第２側板１０５が形成された構造を考える。
【０００８】
第１側板１０４には、差込み片１０６が形成され、第２側板１０５には、差込み片１０６が挿入されるスリット１０７が形成されている。
【０００９】
このような構造の梱包ケースを組み立てる場合、天板の縁１０２、１０３を９０度折り曲げて第１側板１０４と第２側板１０５を形成し、その後、差込み片１０６をスリット１０７に挿入して第１側板１０４と第２側板１０５とを連結することにより、天板１０１、第１側板１０４、および第２側板１０５によって梱包ケースの角部Ｃを形成することが可能である。
【００１０】
上記のように、梱包ケースの角部Ｃにおいて、差込み片１０６をスリット１０７に挿入して、第１側板１０４と第２側板１０５とを連結した状態から、第１側板１０４を天板１０１の縁１０２回りに外方向Ａへ開こうとする外力が作用した場合、差込み片１０６がスリット１０７に対して相対的に回転しようとし、差込み片１０６がスリット１０７から抜けようとする力Ｂがスリット１０７の端部に集中するので、そのスリット１０７の端部から梱包ケースが破損しやすくなる。
【００１１】
本発明は、上記のような事情に鑑みてなされたものであり、梱包ケースの角部における差込み片が挿入されたスリット端部における梱包材の破損を抑制することが可能な梱包材を提供することを目的とする。
【課題を解決するための手段】
【００１２】
上記課題を解決するためのものとして、本発明の梱包材は、梱包ケース（１）の１つの梱包面を構成し、互いに交わる方向に延びる第１の縁および第２の縁を有する梱包面構成部（１１）と、前記第１の縁（１９）に揺動自在に連結された第１側板（１３）と、前記第２の縁（１８）に揺動自在に連結されたおよび第２側板（１２）とを有し、前記第１側板（１３）と前記第２側板（１２）とが連結することによって、前記梱包面構成部（１１）および前記第１側板（１３）および前記第２側板（１２）が前記梱包ケース（１）の角部を形成する梱包材であって、前記第１側板（１３）は、折り曲げられることによって、前記第２側板（１２）に重なり合う重合部分（１３ｂ）を有しており、前記第１側板（１３）の前記重合部分（１３ｂ）には、差込み片（１５）が形成され、前記第２側板（１２）における前記重合部分（１３ｂ）に重なり合う部分には、前記差込み片（１５）が挿入される挿入部（１６）が形成され、前記挿入部（１６）は、第１スリット（２１）と、前記第１スリット（２１）よりも前記第２の縁（１８）に近い位置に配置された第２スリット（２２）と、前記第１スリット（２１）と前記第２スリット（２２）とを接続する第３スリット（２３）とを有しており、前記第１スリット（２１）は、前記角部の頂点（Ｃ）を通る直線に沿って延びるように形成された角部方向部分（２１ａ）を有し、前記差込み片（１５）における前記第１の縁（１９）に遠い側の側辺（２６）は、第１スリット（２１）の角部方向部分（２１ａ）に対応する形状を有する角部方向対応部分（２６ａ）を有することを特徴とする。
【００１３】
かかる構成によれば、梱包ケース（１）の角部を形成する場合、天板などの梱包面構成部（１１）の互いに隣接する２つの縁に揺動自在に連結された第１側板（１３）および第２側板（１２）を、差込み片（１５）および挿入部（１６）を用いて連結する。具体的には、第１側板（１３）における第２側板（１２）の外表面に重なり合う重合部分（１３ｂ）には、差込み片（１５）が形成され、第２側板（１２）には、この差込み片（１５）が挿入される挿入部（１６）が形成されている。第１側板（１３）と第２側板（１２）を梱包面構成部（１１）の第１の縁（１９）および第２の縁（１８）のそれぞれにおいて当該梱包面構成部（１１）に対して９０度折り曲げ、その後、差込み片（１５）を挿入部（１６）に挿入して第１側板（１３）と第２側板（１２）とを連結することにより、梱包面構成部（１１）および第１側板（１３）および第２側板（１２）が梱包ケース（１）の角部を形成する。
【００１４】
ここで、挿入部（１６）は、３つのスリット、すなわち、第１スリット（２１）と、当該第１スリット（２１）よりも梱包面構成部（１１）の第２の縁（１８）に近い第２スリット（２２）と、当該第１スリット（２１）と第２スリット（２２）とを接続する第３スリット（２３）を有している。差込み片（１５）を挿入部（１６）の上に重ね合わせ、差込み片（１５）を指などで挿入部（１６）に押し込むことにより、これら３つのスリットが押し込み方向へ開いて差込み片（１５）は、挿入部（１６）に挿入される。
【００１５】
第１スリット（２１）は、角部の頂点（Ｃ）を通る直線に沿って延びるように形成された角部方向部分（２１ａ）を有し、それとともに、差込み片（１５）における第１の縁（１９）に遠い側の側辺（２６）は、第１スリット（２１）の角部方向部分（２１ａ）に対応する形状を有する角部方向対応部分（２６ａ）を有する。これによって、差込み片（１５）が挿入部（１６）に挿入された状態では、差込み片（１５）における第１の縁（１９）に遠い側の側辺（２６）の角部方向対応部分（２６ａ）が第１スリット（２１）の角部方向部分（２１ａ）の縁に全長に渡って接触する。しかも、第１スリット（２１）の角部方向部分（２１ａ）およびその縁に接触する差込み片（１５）の角部方向対応部分（２６ａ）は、角部の頂点（Ｃ）を通る直線に沿って延びているので、第１側板（１３）を第１の縁（１９）回りに外方向へ開こうとする外力が作用した場合には、差込み片（１５）が挿入部（１６）から抜けようとする力は、第１スリット（２１）の角部方向部分（２１ａ）の縁を垂直方向に押す方向に作用する。その結果、その力が第１スリット（２１）の端部に集中することを防止し、スリット端部における梱包材の破損を抑制することが可能である。
【００１６】
また、前記第１スリット（２１）は、前記角部方向部分（２１ａ）における前記角部の頂点（Ｃ）に近い側の端部から前記第２の縁（１８）の延びる方向に延びる第１縁方向部分（２１ｂ）をさらに有するのが好ましい。
【００１７】
かかる構成によれば、第１縁方向部分２１ｂを有する代わりに角部方向部分２１ａを延長した場合と比較して、第１スリット（２１）の第１縁方向部分（２１ｂ）と第２スリット（２２）との間隔を広く確保することが可能になり、それに伴って差込み片（１５）の幅を広く確保することが可能になる。これにより、第１側板（１３）を第１の縁（１９）回りに外方向へ開こうとする外力が作用した場合に、差込み片（１５）に対して、挿入部（１６）から抜けようとする力が作用したときに、差込み片（１５）が破断するまでの時間を長く確保することが可能になる。
【００１８】
また、前記第１スリット（２１）は、前記角部方向部分（２１ａ）における前記角部の頂点（Ｃ）に近い側の端部につながる円弧状の部分（２１ｄ）をさらに有するのが好ましい。
【００１９】
かかる構成によれば、円弧状の部分（２１ｄ）を有する第１スリット（２１）に対応して差込み片（１５）の側辺を円弧状の部分を有するように形成することにより、差込み片（１５）の幅を広くすることが可能になり、差込み片（１５）が破断するまでの時間をより長く確保することが可能になる。
【００２０】
さらに、前記第２スリット（２２）は、Ｖ字に折れ曲がった形状を有しており、前記第２スリット（２２）のＶ字の先端（２２ｃ）は、前記第１スリット（２１）の前記角部方向部分（２１ａ）を向いており、前記第３スリット（２３）は、前記第２スリット（２２）のＶ字の先端（２２ｃ）に接続されているのが好ましい。
【００２１】
かかる構成によれば、第２スリット（２２）のＶ字の先端（２２ｃ）を第２スリット（２２）の端部よりも梱包面構成部（１１）の第２の縁（１８）から離れた位置へ配置することが可能なる。これにより、第２の縁（１８）から離れた第２スリット（２２）のＶ字の先端（２２ｃ）において、差込み片（１５）を挿入部（１６）に挿入する作業を容易に行うことが可能になり、作業性が向上する。しかも、前記第２スリット（２２）がＶ字に折れ曲がった形状を有しているので、第１スリット（２１）とＶ字形状の第２スリット（２２）の両端部との間隔を広く確保することが可能になり、それに伴って差込み片（１５）の幅を広く確保することが可能になる。これにより、第１側板（１３）を第１の縁（１９）回りに外方向へ開こうとする外力が作用した場合に、差込み片（１５）に対して、挿入部（１６）から抜けようとする力が作用したときに、差込み片（１５）が破断するまでの時間を長く確保することが可能になる。
【００２２】
また、前記第１スリット（２１）は、前記角部方向部分（２１ａ）における角部の頂点（Ｃ）に遠い側の端部から前記第２の縁（１８）の延びる方向に延びる第２縁方向部分（２１ｃ）をさらに有するのが好ましい。
【００２３】
かかる構成によれば、第１スリット（２１）の第２縁方向部分（２１ｃ）が、角部方向部分（２１ａ）における角部の頂点（Ｃ）に遠い側の端部から前記第２の縁（１８）の延びる方向に延びているので、第２縁方向部分（２１ｃ）を有する代わりに角部方向部分（２１ａ）を延長した場合と比較して、挿入部（１６）の全体を第２側板（１２）の外側の縁（１２ａ）に近づけるとともに梱包面構成部（１１）の第２の縁（１８）からより離れた位置へ配置することが可能になる。これにより、第２の縁（１８）から離れた位置で差込み片（１５）を挿入部（１６）に挿入する作業を容易に行うことが可能になり、作業性が向上する。
【００２４】
また、前記第２スリット（２２）は、前記差込み片（１５）における前記第１の縁（１９）に近い側の側辺（２７）に対応する形状を有するのが好ましい。
【００２５】
かかる構成によれば、挿入部（１６）の第１スリット（２１）および第２スリット（２２）は、差込み片（１５）の両側の側辺にそれぞれ対応する形状を有するので、差込み片（１５）を挿入部（１６）の上に重ね合わせ、差込み片（１５）を指などで挿入部（１６）に押し込むことにより、第１スリット（２１）および第２スリット（２２）押し込み方向へ容易に開くことが可能になり、差込み片（１５）を挿入部（１６）に容易に挿入することが可能である。
【発明の効果】
【００２６】
以上説明したように、本発明の梱包材によれば、梱包ケースの角部における差込み片が挿入されたスリット端部における梱包材の破損を抑制することができる。
【図面の簡単な説明】
【００２７】
【図１】本発明の実施形態に係る梱包材を有する梱包ケースの斜視図である。
【図２】図１の梱包ケースの角部の拡大正面図である。
【図３】図１のトレーを展開した状態の平面図である。
【図４】図３の連結部周辺部分における要部拡大図である。
【図５】図４の第１側板を第１の縁で折り曲げて当該第１側板の重合部分を第２側板に一部重ね合わせ、図４の差込み片と挿入部の形状を比較した状態を示す図である。
【図６】図１のトレーの組立方法を説明する図であって、第１側板の重合部分を第２側板に重ね合わせる直前の状態を示す図である。
【図７】図１のトレーの組立方法を説明する図であって、第１側板の重合部分を第２側板に重ね合わせた状態を示す図である。
【図８】図１のトレーの組立方法を説明する図であって、指で差込み片を挿入部に押し込む途中の状態を示す図である。
【図９】図１のトレーの組立方法を説明する図であって、差込み片が挿入部に挿入された状態を示す図である。
【図１０】図９のＸ―Ｘ線断面図である。
【図１１】本発明の変形例を示す挿入部における第１スリットの第１縁方向部分が円弧状の部分を有する例を示す図である。
【図１２】従来の梱包ケースの天板の互いに直交する隣接する２つの縁を折り曲げて第１側板および第２側板が形成された構造を示す図であり、（ａ）は梱包ケースの展開図、（ｂ）は梱包ケースの角部の拡大斜視図である。
【発明を実施するための形態】
【００２８】
以下、図面を参照しながらさらに詳細に本発明の梱包材の実施形態について説明する。
【００２９】
本実施形態の梱包材の一例として、図１〜２に示される梱包ケース１は、ダンボール板で構成された直方体の筐体である。梱包ケース１は、上下両端が開放された筒状のケース本体２と、当該ケース本体２の開放された上下両端を閉じる一対のトレー３、４とを備えている。これらケース本体２およびトレー３、４は、いずれもダンボール板を折り曲げることにより形成されている。
【００３０】
トレー３、４は、図１〜４に示されるように、いずれも底の浅い平たい蓋体からなり、同一の形状を有する。トレー３、４は、梱包ケース１の上側または下側の梱包面を構成する矩形の梱包面構成部１１と、当該梱包面構成部１１の４つの縁１８、１８、１９、１９のうち対向する一対の第１の縁１９に連結された一対の第１側板１３と、対向する一対の第２の縁１８に連結された一対の第２側板１２とを備えている。第２の縁１８は、第１の縁１９に隣接し、当該第１の縁１９に直交している。梱包面構成部１１、一対の第１側板１３および一対の第２側板１２は、一枚のダンボール板によって一体形成されている。
【００３１】
梱包面構成部１１は、ケース本体２の上側を閉じるトレー３の場合には梱包ケース１の上面を構成し、ケース本体２の下側を閉じるトレー４の場合には梱包ケース１の下面を構成する。
【００３２】
第１側板１３の幅（第１の縁１９と直交する方向の幅）は、第２側板１２の幅（第２の縁１８と直交する方向の幅）と同じになるように設定されている。
【００３３】
各第１側板１３は、梱包面構成部１１の第１の縁１９において当該梱包面構成部１１に揺動自在に連結されている。各第２側板１２は、第１の縁１９に隣接する第２の縁１８において当該梱包面構成部１１に揺動自在に連結されている。
【００３４】
第１側板１３と第２側板１２とが後述する連結部１４（すなわち、差込み片１５と挿入部１６との組合せ）を用いて連結することによって、梱包面構成部１１および第１側板１３および第２側板１２が頂点Ｃを有する梱包ケース１の角部を形成する。
【００３５】
第１側板１３は、梱包面構成部１１の第１の縁１９につながる本体部１３ａと、第２側板１２の外表面に重なり合う一対の重合部分１３ｂを有している。本体部１３ａは、第１の縁１３ａに直交する両側の縁１３ｃを有している。両側の縁１３ｃは、角部の頂点Ｃを通る直線上にある。重合部分１３ｂは、本体部１３ａの両側の縁１３ｃに揺動自在に連結されている。本体部１３ａが第１の縁１９で９０度折り曲げられ、かつ、第２側板１２が第２の縁１８で９０度折り曲げられた状態では、本体部１３ａの両側の縁１３ｃは、第２側板１２の縁に一致する。
【００３６】
第１側板１３の重合部分１３ｂには、第１の縁１９が延びる方向に突出する差込み片１５が形成されている。差込み片１５は、重合部分１３ｂにおいて本体部１３ａの縁１３ｃに対向する縁１３ｄから２本のスリットが形成されることによって形成される。すなわち、差込み片１５は、一方のスリットに対応する第１側辺２６と、他方のスリットに対応し、当該第１側辺２６に対向する第２側辺２７を有する。また、第１側辺２６および第２側辺２７は、後述する挿入部１６の第１スリット２１および第２スリット２２の形状にそれぞれ対応する。
【００３７】
具体的には、差込み片１５における第１の縁１９に遠い側の第１側辺２６は、第１スリット２１の角部方向部分２１ａに対応する形状を有する角部方向対応部分２６ａ（図２および図５参照）を有する。さらに、第１側辺２６は、第１スリット２１の第１縁方向部分２１ｂおよび第２縁方向部分２１ｃに対応する形状を有する縁方向対応部分２６ｂ、２６ｃを有する。
【００３８】
さらに、差込み片１５における第１の縁１９に近い側の第２側辺２７は、Ｖ字形状の第２スリット２２を構成する２本の直線部分２７ａ、２７ｂに対応する形状を有する対応部分２７ａ、２７ｂを有する。
【００３９】
差込み片１５の先端部分２８は、第１側辺２６および第２側辺２７を形成する２本のスリットによって第１側板１３の重合部分１３ｂの他の部分から切り離されている。一方、差込み片の根元部分２９は、重合部分１３ｂの他の部分から連続している。いいかえれば、差込み片１５は、重合部分１３ｂの他の部分に対して支持されて片持ち支持されており、差込み片１５の先端部分２８を指で押し込むと押し込んだ方向へ差込み片１５が曲がり、指で押し込むことを止めれば第２側板１２の復元力によって元の状態に戻って閉じられる。
【００４０】
第２側板１２における重合部分１３ｂに重なり合う部分には、差込み片１５が挿入される挿入部１６が形成されている。
【００４１】
挿入部１６は、図４に示されるように、略Ｈ型に配置された３本のスリット、すなわち、第１スリット２１、第２スリット２２、および第３スリット２３を備えている。第１スリット２１および第２スリット２２は、互いに離間している。第３スリット２３は、第２の縁１８に直交する方向に延びている。
【００４２】
第１スリット２１は、梱包面構成部１１の第２の縁１８の延びる方向に長さＸ１を有する。第１スリット２１は、３つの直線部分によって構成される。すなわち、第１スリット２１は、第２の縁１８に対して斜め方向に延びる角部方向部分２１ａと、当該角部方向部分２１ａの一端部に接続された第１縁方向部分２１ｂと、当該角部方向部分２１ａの他端部に接続された第２縁方向部分２１ｃとを備えている。
【００４３】
角部方向部分２１ａは、角部の頂点Ｃを通る直線Ｓに沿って延びるように形成されている。なお、トレー３，４は手で折り曲げ可能な程度の剛性を有するダンボール板を折り曲げて形成されるので、トレー３、４の寸法および形状は多少の冗長性を内在するものであるので、直線Ｓは、角部の頂点Ｃの上を厳密には通っていなくても、当該頂点Ｃの近傍を通過していればよい。
【００４４】
第１縁方向部分２１ｂは、角部方向部分２１ａにおける角部の頂点Ｃに近い側の端部から第２の縁１８の延びる方向に平行に延びている。
【００４５】
また、第２縁方向部分２１ｃは、角部方向部分２１ａにおける角部の頂点Ｃに遠い側の端部から第２の縁１８の延びる方向に平行に延びている。本実施形態では、第２縁方向部分２１ｃは、第１縁方向部分２１ｂと平行に延びており、かつ、当該第１縁方向部分２１ｂと同じ長さを有しているが、本発明はこれに限定されるものではない。
【００４６】
第２スリット２２は、第２の縁１８の延びる方向に長さを有し、第１スリット２１よりも第２の縁１８に近い位置に配置されている。第２スリット２２は、第２の縁１８の延びる方向において、第１スリット２１と同じ長さＸ１を有する。なお、第２スリット２２の長さは、第１スリット２１の長さと異なってもよい。
【００４７】
第２スリット２２は、Ｖ字に折れ曲がった形状を有する。すなわち、第２スリット２２は、２本の直線部分２２ａ、２２ｂを有しており、これら直線部分２２ａ、２２ｂの端部同士が角度θ１で傾斜した状態で接続されている。これにより、第２スリット２２のＶ字の先端２２ｃは、第１スリット２１の角部方向部分２１ａを向いている。
【００４８】
図４に示されるように、上記の第１スリット２１の形状は、差込み片１５における第１の縁１９に遠い側の第１側辺２６の形状に対応し、それと同様に、第２スリット２２の形状は、差込み片１５における第１の縁１９に近い側の第２側辺２７の形状に対応している。したがって、第１側板１３を第１の縁１９で９０度折り曲げ、図５に示されるように、第１側板１３の重合部分１３ｂを第２側板１２に重ね合わせていき、最終的に図２に示されるようにこれら重合部分１３ｂと第２側板１２とが重ね合わされた状態では、差込み片１５の第１側辺２６は第１スリット２１に一致し、それと同様に、差込み片１５の第２側辺２７は第２スリット２２に一致する。
【００４９】
したがって、図４に示されるように、トレー３、４が展開された状態では、差込み片１５は、挿入部２２の位置から角部の頂点Ｃを中心として９０度旋回させた位置にある。
【００５０】
第３スリット２３は、第２の縁１８の延びる方向において、第１スリット２１および第２スリット２２のそれぞれの中間に位置している。したがって、第３スリット２３は、第２の縁１８に直交する方向に延び、それによって第１スリット２１と第２スリット２２とをそれぞれの中間同士を接続する。
【００５１】
第２側板１２における挿入部１６における第１スリット２１と第２スリット２２との間では、第３スリット２３によって２つの領域、すなわち、第１領域２４および第２領域２５に分けられている。第２側板１２の第１領域２４の部分と第２領域２５の部分は、指で押し込まれることにより開くことができ、指で押し込むことを止めれば第２側板１２の復元力によって元の状態に戻って閉じられる。
【００５２】
上記のように構成された差込み片１５および挿入部１６によって、第１側板１３と第２側板１２とを連結する連結部１４が構成される。連結部１４（すなわち、差込み片１５と挿入部１６との組合せ）は、トレー３、４の４つの角部の頂点Ｃの周辺にそれぞれ配置されている。
【００５３】
上記の梱包ケース１のトレー３、４は、以下のようにして組み立てられる。
【００５４】
まず、図３に示されるように、トレー３、４を組み立てる前のダンボール板の状態から、一対の第１側板１３を梱包面構成部１１の第１の縁１９を折り目として当該梱包面構成部１１に対して例えば下方へ９０度折り曲げる。それとともに、一対の第２側板１２を梱包面構成部１１の第２の縁１８を折り目として当該梱包面構成部１１に対して下方へ９０度折り曲げる。
【００５５】
ついで、第１側板１３の重合部分１３ｂを本体部１３ａの縁１３ｃを折り目として９０度折り曲げることにより、図５〜６に示されるように、重合部分１３ｂを第２側板１２に重ね合わせる。図７に示されるように、重合部分１３ｂを第２側板１２に重ね合わせた状態では、重合部分１３ｂ側の差込み片１５は、第２側板１２側の挿入部１６に重ね合わされる。
【００５６】
ついで、図７〜８に示されるように、作業者は重合部分１３ｂと第２側板１２が重ね合わせた部分を手で保持しながら親指Ｔなどを用いて、差込み片１５の先端部分２８を第２側板１２側の挿入部１６に押し込む。このとき、挿入部１６の第１領域２４および第２領域２５（図４参照）の部分が開き、その開口した部分に差込み片１５の先端部分２８が挿入される。
【００５７】
その後、親指Ｔで押し込む動作を止めたときに、図９〜１０に示されるように、挿入部１６の第１領域２４および第２領域２５は、第２側板１２の復元力によって閉じようとするが、差込み片１５の先端部分２８が挿入部１６の第１領域２４の部分よりもトレー内方へ（図１０の下側へ）入り込んでいるので、差込み片１５の先端部分２８は挿入部１６の内側に保持される。これによって、連結部１４を構成する差込み片１５と挿入部１６とが連結することによって、第１側板１３と第２側板１２とを連結することができ、トレー３、４の組立てを行うことができる。このとき、差込み片１５の第１側辺２６の外側面（第２の縁１８と反対側を向いた面）が挿入部１６の第１スリット２１における第２の縁１８を向いた面に重合する。
【００５８】
組み立てられたトレー３、４の角部では、図２に示されるように、差込み片１５における第１側辺２６の角部方向対応部分２６ａと挿入部１６における第１スリット２１の角部方向部分２１ａの縁が全長に亘って接触する。しかも、これら角部方向部分２１ａおよび角部方向対応部分２６ａは、いずれも角部の頂点Ｃを通る直線Ｓの上に配置される。したがって、第１側板１３を第１の縁１９回りに外方向へ開こうとする外力が作用した場合、すなわち、重合部分１３ｂの差込み片１５に対して、頂点Ｃを回転中心として時計回りの方向Ｒへ外力が作用した場合には、差込み片１５が挿入部１６から抜けようとする力Ｆは、第１スリット２１の角部方向部分２１ａの縁を垂直方向に押す方向に作用する。その結果、その力Ｆが第１スリット２１の端部に集中することを防止し、第１スリット２１の端部における第２側板１２の破損および差込み片１５の破損を抑制することが可能である。
【００５９】
組立て後のトレー３、４は、図１に示されるように、ケース本体２の上端および下端にそれぞれかぶせられ、これによって、梱包ケース１が完成する。トレー３、４は、ケース本体２から脱落しないように、ＰＰバンドなどの梱包用の帯状部材Ｂによって固定される。帯状部材Ｂは、トレー３、４の角部の頂点Ｃよりもやや内側を通るように（すなわち、図２に示される第１側板１３の重合部分１３ｂと第２側板１２とが重なり合っている部分を押さえるように）、梱包ケース１に巻き付けられる。
【００６０】
（特徴）
（１）
本実施形態では、梱包ケース１の角部を形成する場合、トレー３、４において、梱包ケース１の上側および下側の梱包面を構成する梱包面構成部１１の互いに隣接する２つの縁１８、１９に揺動自在に連結された第１側板１３および第２側板１２を、差込み片１５および挿入部１６を用いて連結する。具体的には、第１側板１３における第２側板１２の外表面に重なり合う重合部分１３ｂには、差込み片１５が形成され、この差込み片１５が第２側板１２には、挿入部１６が形成されている。第１側板１３と第２側板１２を梱包面構成部１１の第１の縁１９および第２の縁１８のそれぞれにおいて当該梱包面構成部１１に対して９０度折り曲げ、その後、差込み片１５を挿入部１６に挿入して第１側板１３と第２側板１２とを連結することにより、梱包面構成部１１および第１側板１３および第２側板１２が梱包ケース１の角部を形成する。
【００６１】
ここで、挿入部１６は、３つのスリット、すなわち、第１スリット２１と、当該第１スリット２１よりも梱包面構成部１１の第２の縁１８に近い第２スリット２２と、当該第１スリット２１と第２スリット２２とを接続する第３スリット２３を有している。差込み片１５を挿入部１６の上に重ね合わせ、差込み片１５を指などで挿入部１６に押し込むことにより、これら３つのスリット２１、２２、２３が押し込み方向へ開いて差込み片１５は、挿入部１６に挿入される。差込み片１５を押し込む力を除けば、第２側板１２の復元力によって３つのスリット２１、２２、２３が閉まるので、差込み片１５は挿入部１６に保持される。
【００６２】
第１スリット２１は、角部の頂点Ｃを通る直線Ｓに沿って延びるように形成された角部方向部分２１ａを有し、それとともに、差込み片１５における第１の縁１９に遠い側の第１側辺２６は、第１スリット２１の角部方向部分２１ａに対応する形状を有する角部方向対応部分２６ａを有する。これによって、差込み片１５が挿入部１６に挿入された状態では、差込み片１５における第１の縁１９に遠い側の側辺２６の角部方向対応部分２６ａが第１スリット２１の角部方向部分２１ａの縁に全長に亘って接触する。しかも、第１スリット２１の角部方向部分２１ａおよびその縁に接触する差込み片１５の角部方向対応部分２６ａは、角部の頂点Ｃを通る直線に沿って延びているので、第１側板１３を第１の縁１９回りに外方向へ開こうとする外力が作用した場合には、差込み片１５が挿入部１６から抜けようとする力Ｆは、第１スリット２１の角部方向部分２１ａ縁を垂直方向に押す方向に作用する。その結果、その力Ｆが第１スリット２１の端部に集中することを防止し、第１スリット２１の端部における第２側板１２の破損および差込み片１５の破損を抑制することが可能である。
【００６３】
（２）
本実施形態の梱包材によれば、第１スリット２１は、角部方向部分２１ａにおける角部の頂点Ｃに近い側の端部から第２の縁１８の延びる方向に延びる第１縁方向部分２１ｂを有しているので、第１縁方向部分２１ｂを有する代わりに角部方向部分２１ａを延長した場合と比較して、第１スリット２１の第１縁方向部分２１ｂと第２スリット２２との間隔Ｌ１（図４参照）を広く確保することが可能になり、それに伴って差込み片１５の幅を広く確保することが可能になる。これにより、第１側板１３を第１の縁１９回りに外方向へ開こうとする外力が作用した場合に、差込み片１５に対して、挿入部１６から抜けようとする力が作用したときに、差込み片１５が破断するまでの時間を長く確保することが可能になる。
【００６４】
（３）
本実施形態の梱包材によれば、第２スリット２２は、Ｖ字に折れ曲がった形状を有しており、第２スリット２２のＶ字の先端２２ｃは、第１スリット２１の角部方向部分２１ａを向いている。そして、第３スリット２３は、第２スリット２２のＶ字の先端２２ｃに接続されている、そのため、第２スリット２２のＶ字の先端（２２ｃ）を第２スリット２２の端部よりも梱包面構成部１１の第２の縁１８から離れた位置へ配置することが可能なる。これにより、第２の縁１８から離れた第２スリット２２のＶ字の先端（２２ｃ）において、差込み片１５を挿入部１６に挿入する作業を容易に行うことが可能になり、作業性が向上する。しかも、第２スリット２２がＶ字に折れ曲がった形状を有しているので、第１スリット２１とＶ字形状の第２スリット２２の両端部との間隔Ｌ１、Ｌ２（図４参照）を広く確保することが可能になり、それに伴って差込み片１５の幅を広く確保することが可能になる。これにより、第１側板１３を第１の縁１９回りに外方向へ開こうとする外力が作用した場合に、差込み片１５に対して、挿入部１６から抜けようとする力が作用したときに、差込み片１５が破断するまでの時間を長く確保することが可能になる。
【００６５】
（４）
本実施形態の梱包材によれば、第１スリット２１の第２縁方向部分２１ｃが、角部方向部分２１ａにおける角部の頂点Ｃに遠い側の端部から第２の縁１８の延びる方向に延びているので、第２縁方向部分２１ｃを有する代わりに角部方向部分２１ａを延長した場合と比較して、挿入部１６の全体を第２側板１２の外側の縁１２ａに近づけるとともに梱包面構成部１１の第２の縁１８からより離れた位置へ配置することが可能なる。これにより、第２の縁１８から離れた位置で差込み片１５を挿入部１６に挿入する作業を容易に行うことが可能になり、作業性が向上する。
【００６６】
（５）
本実施形態の梱包材によれば、挿入部１６の第１スリット２１および第２スリット２２は、差込み片１５の両側の側辺にそれぞれ対応する形状を有するので、差込み片１５を挿入部１６の上に重ね合わせ、差込み片１５を指などで挿入部１６に押し込むことにより、第スリットおよび第２スリット２２押し込み方向へ容易に開くことが可能になり、差込み片１５を挿入部１６に容易に挿入することが可能である。
【００６７】
（変形例）
なお、上記実施形態では、挿入部１６の第１スリット２１の角部方向部分２１ａの端部には、直線的に延びる第１縁方向部分２１ｂがつながっているが、本発明はこれに限定されるものではなく、図１１に示されるように、角部方向部分２１ａの端部には、円弧状の部分２１ｄがつながっていてもよい。図１１の変形例では、円弧状の部分２１ｄは、第１スリット２１の角部方向部分２１ａと第１縁方向部分２１ｂとをつないでいる。
【００６８】
この場合、第１スリット２１が円弧状の部分２１ｄを有することに対応して、差込み片１５における第１側辺２６も円弧状の部分２６ｄを有するようにすればよい。これにより、差込み片１５は、第１スリット２１の縁に全周に亘って接触することが可能である。
【００６９】
このような図１１に示される変形例では、円弧状の部分２１ｄを有する第１スリット２１に対応して差込み片１５の第１側辺２６を円弧状の部分２６ｄを有するように形成することにより、差込み片１５は、第１側辺２６の第１縁方向部分２１ｂと角部方向対応部分２６ａとの間で角張った部分がなくなり、その分だけ差込み片１５の幅を広くすることが可能になる。その結果、差込み片１５が破断するまでの時間をより長く確保することが可能になる。
【００７０】
なお、上記実施形態では、直方体の梱包ケースの一例として、筒状のケース本体２の上下両端にトレー３、４が取り付けられた構造を例に挙げて説明したが、本発明は限定されるものではない。本発明の梱包材は、梱包ケースの１つの梱包面を構成する梱包面構成部と、当該矩形の梱包面構成部の互いに交わる方向に延びる２つの縁のうちの第１の縁に揺動自在に連結された第１側板と、当該第１の縁に隣接する第２の縁に揺動自在に連結されたおよび第２側板とを有し、前記第１側板と前記第２側板とが連結することによって、前記梱包面構成部および前記第１側板および前記第２側板が前記梱包ケースの角部を形成することが可能であれば、他の構造の梱包ケースを採用してもよい。例えば、ケース本体２を省略し、トレー３、４のいずれかの第１側板および第２側板の幅を大きくしたものを採用した梱包ケースを採用してもよい。または、トレー３、４のいずれかを省略し、ケース本体２と１個のトレーとを組み合わせた梱包ケースであってもよい。さらに、直方体の梱包ケースだけでなく、角部を有する梱包ケースとして、例えば多角柱状（六角柱状など）の梱包ケースであってもよい。
【符号の説明】
【００７１】
１  梱包ケース
２  ケース本体
３，４  トレー
１１  梱包面構成部
１２  第２側板
１３  第１側板
１４  連結部
１５  差込み片
１６  挿入部
１８  第２の縁
１９  第１の縁
２１  第１スリット
２１ａ  角部方向部分
２１ｂ  第１縁方向部分
２１ｃ  第２縁方向部分
２２  第２スリット
２２ｃ  先端
２３  第３スリット
２６  第１側辺
２６ａ  角部方向対応部分
２７  第２側辺
【図１】
2015074454.tif 000003
【図２】
2015074454.tif 000004
【図３】
2015074454.tif 000005
【図４】
2015074454.tif 000006
【図５】
2015074454.tif 000007
【図６】
2015074454.tif 000008
【図７】
2015074454.tif 000009
【図８】
2015074454.tif 000010
【図９】
2015074454.tif 000011
【図１０】
2015074454.tif 000012
【図１１】
2015074454.tif 000013
【図１２】
2015074454.tif 000014